(57)【特許請求の範囲】
【請求項１】
引戸の表裏面のそれぞれに手掛部を設けるように該引戸に取り付けられる一組の引手部材を備えた引手を有する引戸であって、
前記一組の引手部材は、前記引戸の高さ方向に沿ってそれぞれ長尺で同寸同形状とされており、かつ、前記引戸の厚さ方向に貫通して形成された取付孔に、互いに対向するようにそれぞれ嵌め込まれる引手基部と、これら引手基部の幅方向両側部において、前記引戸の厚さ方向に沿って互いに係合するとともに、各引手基部の幅方向両側それぞれに同数かつ複数箇所に設けられた係合部とを備えており、
前記係合部は、各引手基部の長手方向中心から長手方向両側に間隔を空けて設けられる組同士が各引手基部の長手方向中心から均等間隔を空けた位置となるように設けられ、かつ、前記引戸の厚さ方向と同方向に向けて突設されるとともに、係止部を有した係合突片部と、この係合突片部を受け入れて保持するとともに、該係合突片部の係止部に対応させた係止部を有した係合凹部と、を、各引手基部における長手方向同位置の幅方向両側部に設けた構成とされ、
前記係合突片部と前記係合凹部とは、各引手基部における長手方向に沿って互い違いとなるように設けられ、かつ、幅方向両側部のそれぞれにおいて前記係合突片部及び前記係合凹部のいずれもが同数となるように複数箇所に設けられており、幅方向両側の同数かつ複数の係合突片部によって互いの引手基部の側部を挟持する構造とされており、
前記引戸は、床面近傍から天井面近傍までの高さ寸法とされ、前記各引手部材は、長さ寸法が２００ｍｍ〜５００ｍｍで幅寸法が２０ｍｍ〜５０ｍｍの細長形状とされていることを特徴とする引戸。
【請求項２】
請求項１において、
前記引戸は、内壁の手前側壁面に沿ってアウトセット型で納められ、かつ上吊レールに沿って幅方向に移動自在に吊下支持されるものであることを特徴とする引戸。
【発明の詳細な説明】
【技術分野】
【０００１】
本発明は、引戸に関する。
【背景技術】
【０００２】
引戸に、手掛部として取り付けられる引手の取り付け態様としては、従来、引戸の表裏面に設けられた凹部乃至は貫通孔に対して、木ねじや釘等の固定止具や接着剤等を用いて取り付ける態様とされていた。このような取り付け態様では、固定止具の止着作業や、接着剤の塗布作業等が必要となり、作業性が悪いという問題があった。また、固定止具を用いて取り付ける態様では、固定止具が露出してしまい、見栄えが悪いという問題もあった。
【０００３】
下記特許文献１では、一組の引手本体のケーシングの上下に、係止受部を有した段部と、弾性係止片とを対向して設けた構成とされた引手が提案されている。この引手では、弾性係止片に設けられた係止爪の係入する位置を変更することができるように、上記係止受部に、引戸の厚み方向に複数の溝状の受部を設けた構成とされている。また、弾性係止片の係止爪が設けられた反対面側部位に、当該弾性係止片の弾性変形を容易とするための空所を設けた構成とされている。
このような構成とされた特許文献１に記載された引手では、一組の引手本体を、引戸に穿設された貫通孔の両面から嵌入させ、弾性係止片をそれぞれに対向する係止受部に弾性力を利用して係止させるだけのワンタッチで当該引手を組み付けることができる、と説明されている。
【先行技術文献】
【特許文献】
【０００４】
【特許文献１】特開平９−３０３００４号公報（図１参照）
【発明の概要】
【発明が解決しようとする課題】
【０００５】
しかしながら、上記特許文献１に記載された引手では、弾性係止片の弾性力によって、当該弾性係止片の係止爪を係止受部の溝状受部に対して係止させる構成とされ、該弾性係止片の反対面側には空所が設けられているので、該弾性係止片の弾性力に抗する外力等が生じた場合や該弾性係止片の弾性力が弱い場合等においては、意図せず脱離することが考えられる。
また、デザイン性等の観点から、例えば、床面から天井面近傍までの比較的、高く形成された引戸に、その高さ方向に沿って比較的、細長状の長尺な引手を取り付けたいという要望がある。このような場合に、上記のような引手本体の上下部位に弾性係止片や係止受部等の係止部を設けたものでは、その側部において浮き等が生じることも考えられる。
【０００６】
本発明は、上記実情に鑑みなされたものであり、引戸への取り付け時における作業性を向上し得るとともに、引戸に対して強固に取り付け得る引手を備えた引戸を提供することを目的としている。
【課題を解決するための手段】
【０００７】
前記目的を達成するために、本発明に係る引戸は、引戸の表裏面のそれぞれに手掛部を設けるように該引戸に取り付けられる一組の引手部材を備えた引手を有する引戸であって、前記一組の引手部材は、前記引戸の高さ方向に沿ってそれぞれ長尺で同寸同形状とされており、かつ、前記引戸の厚さ方向に貫通して形成された取付孔に、互いに対向するようにそれぞれ嵌め込まれる引手基部と、これら引手基部の幅方向両側部において、前記引戸の厚さ方向に沿って互いに係合するとともに、各引手基部の幅方向両側それぞれに同数かつ複数箇所に設けられた係合部とを備えており、前記係合部は、各引手基部の長手方向中心から長手方向両側に間隔を空けて設けられる組同士が各引手基部の長手方向中心から均等間隔を空けた位置となるように設けられ、かつ、前記引戸の厚さ方向と同方向に向けて突設されるとともに、係止部を有した係合突片部と、この係合突片部を受け入れて保持するとともに、該係合突片部の係止部に対応させた係止部を有した係合凹部と、を、各引手基部における長手方向同位置の幅方向両側部に設けた構成とされ、前記係合突片部と前記係合凹部とは、各引手基部における長手方向に沿って互い違いとなるように設けられ、かつ、幅方向両側部のそれぞれにおいて前記係合突片部及び前記係合凹部のいずれもが同数となるように複数箇所に設けられており、幅方向両側の同数かつ複数の係合突片部によって互いの引手基部の側部を挟持する構造とされており、前記引戸は、床面近傍から天井面近傍までの高さ寸法とされ、前記各引手部材は、長さ寸法が２００ｍｍ〜５００ｍｍで幅寸法が２０ｍｍ〜５０ｍｍの細長形状とされていることを特徴とする。
【０００８】
このような構成とすることで、各引手部材の引手基部を、引戸の取付孔に嵌め込み、係合突片部と係合凹部とを互いに係合させることで、当該一組の引手部材からなる引手を、引戸に対して容易に取付固定することができる。従って、固定止具の止着作業等が不要となり、作業性を向上させることができる。また、固定止具等が露出しないので、見栄えを向上させることができる。
また、引戸の高さ方向に沿ってそれぞれ長尺であるので、すっきりとした印象を与えることができ、見栄えを向上させることができるとともに、居住者等の引手操作者に身長差があるような場合にも、操作性を向上させることができる。また、このように長尺でありながらも、長手方向の複数箇所に設けられた係合部によって、当該引手を引戸に対して強固に取付固定することができ、当該引手部材の両側部における浮き等を防止することができる。
【０００９】
さらに、互いに係合する係合部としての係合突片部と係合凹部とは、それぞれの係止部が互いに係止した状態で、係合突片部が係合凹部に受け入れられて保持される。また、これら係合突片部と係合凹部とは、引手基部の両側部において係合するように設けられているので、引戸の厚さ方向に沿って突設された係合突片部と、これを受け入れて保持する係合凹部とによって、引手基部の側部を挟持するように保持することができる。従って、これら係合部における係合強度を向上させることができ、当該引手を引戸に対して、強固に取付固定することができる。
【００１０】
本発明においては、前記一組の引手部材を、それぞれ同寸同形状とし、前記係合突片部と前記係合凹部とを、各引手基部における長手方向同位置の幅方向両側部に設けるとともに、当該引手基部の長手方向中心から均等間隔を空けて設けるようにしてもよい。
このような構成とすれば、一組の引手部材を、同一部品とできるので取扱い性が良く、作業性を向上させることができる。
また、これら係合突片部と係合凹部とは、各引手基部における長手方向同位置の幅方向両側部に設けられているので、長手方向同位置において強固に係合させることができる。
【００１１】
上記構成においては、前記係合突片部と前記係合凹部とを、各引手基部における長手方向に沿って互い違いとなるように設けるようにしてもよい。
このような構成とすれば、引戸に取り付ける際に、各引手部材を、長手方向中心を回転中心として回転させて上下を逆にした場合にも互いの係合部を係合させることができ、より作業性を向上させることができる。
また、互い違いに配された係合突片部によって、互いの引手基部の側部が挟持され、より係合部における係合強度を向上させることができる。
さらに、例えば、一側部に沿ってのみ係合突片部を設けるようなものと比べて、各係合部において互いに係合させる際に、各引手部材が一方に傾いたりするようなことを防止でき、安定してより強固に互いを係合させることができる。
【００１２】
また、本発明においては、前記係合凹部の係止部を、前記引戸の厚さ方向に、複数の係止突条を並設した構造とし、前記係合突片部の係止部を、前記係合凹部の係止部と噛み合うように係止する複数の係止突条を前記引戸の厚さ方向に並設した構造としてもよい。
このような構成とすれば、当該引手を引戸に取付固定する際に、互いの複数の係止突条によって、引戸の厚さ方向に沿って複数段階に係止が可能となり、引戸の厚さ寸法の差異や誤差等を吸収することができる。
また、複数の係止突条同士が互いに噛み合うように係止するので、当該引手を引戸に対して、より強固に固定することができる。
【００１３】
上記構成においては、前記係合突片部、及び前記係合凹部のうちの一方の係止部を、前記引戸の厚さ方向に、所定ピッチで並設された複数の係止突条からなる第１係止部と、前記引戸の厚さ方向に、前記第１係止部と同ピッチで並設された複数の係止突条からなる第２係止部とを備えたものとし、これら第１係止部と第２係止部とを、互いの係止突条が半ピッチずれた位置となるように隣接させて配置した構造としてもよい。
このような構成とすれば、係合突片部及び係合凹部のうち、一方の複数の係止突条を、部材を大型化することなく効率的に細かく設けることができる。つまり、互いに半ピッチずれた位置とされた第１係止部の係止突条と第２係止部の係止突条とによって、前記所定ピッチの半ピッチで、複数の係止突条が形成され、この係止突条と他方の複数の係止突条とが噛み合うように係止することとなる。従って、引戸の厚さ寸法の差異や誤差等を、より細かく吸収することができる。
【００１４】
また、本発明においては、前記引手基部の外周側部に、前記引戸の取付孔に嵌め込まれる際に、該取付孔の内周側面に圧接するリブを設けるようにしてもよい。
このような構成とすれば、引手基部を引戸の取付孔に嵌め込む際に、リブの圧接作用により圧入させるように引手基部を嵌め込むことができ、該リブにより、各引手部材と引戸とのがたつきを防止することができる。
【００１５】
また、本発明においては、前記引手基部の表面側周縁部に、前記取付孔の開口縁に対応させた鍔部を周設し、この鍔部の裏面に、取外具差込凹部を設けるようにしてもよい。
このような構成とすれば、施工後に引手に不具合が生じた際や引戸を廃棄する際など、引手を引戸から取り外す必要が生じた際には、マイナスドライバー等の取外具の先端を、取外具差込凹部に差し込むことで、一組の引手部材の各係合部の係合を解除させ、当該引手を引戸から容易に取り外すことができる。
また、本発明においては、前記引戸を、内壁の手前側壁面に沿ってアウトセット型で納められ、かつ上吊レールに沿って幅方向に移動自在に吊下支持されるものとしてもよい。
このような構成とすれば、すっきりとした印象を与えることができる。
【発明の効果】
【００１６】
本発明に係る引戸は、上述のような構成としたことで、引戸への取り付け時における作業性を向上させることができるとともに、引戸に対して強固に引手を取り付けることができる。
【図面の簡単な説明】
【００１７】
【図１】（ａ）、（ｂ）は、いずれも本発明の一実施形態に係る引手を備えた引戸を模式的に示し、（ａ）は、引戸の一例への同引手の取り付け態様の一例を示す一部破断概略斜視図、（ｂ）は、（ａ）におけるＷ方向から見た状態を模式的に示す一部透過概略拡大側面図である。
【図２】（ａ）、（ｂ）は、いずれも同引手を模式的に示し、（ａ）は、概略正面図、（ｂ）は、概略背面図である。
【図３】（ａ）、（ｂ）は、いずれも同引手を模式的に示し、（ａ）は、図１（ｂ）におけるＶ１部を拡大して示す一部破断概略拡大側面図、（ｂ）は、図２（ｂ）におけるＶ２部を拡大して示す一部破断概略拡大背面図である。
【図４】（ａ）〜（ｃ）は、いずれも同引手を模式的に示し、（ａ）は、図３（ａ）におけるＸ１−Ｘ１線矢視に対応させた一部破断概略横断面図、（ｂ）は、図３（ａ）におけるＸ２−Ｘ２線矢視に対応させた一部破断概略横断面図、（ｃ）は、図３（ａ）におけるＸ３−Ｘ３線矢視に対応させた一部破断概略横断面図、（ｄ）は、同引手の組み付け構造を説明するための概念的な説明図である。
【図５】（ａ）は、図７（ｂ）におけるＶ３部に対応させた一部破断概略拡大分解横断面図、（ｂ）は、図７（ｂ）におけるＶ３部に対応させた一部破断概略拡大横断面図である。
【図６】（ａ）、（ｂ）は、いずれも同引手を同引戸に取り付けた状態を模式的に示し、（ａ）は、図１（ａ）におけるＷ方向と同方向から見た状態を模式的に示す一部透過概略拡大側面図、（ｂ）は、（ａ）におけるＹ−Ｙ線矢視に対応させた一部破断概略拡大縦断面図である。
【図７】（ａ）、（ｂ）は、いずれも同引手を取り付けた同引戸を施工した状態を模式的に示し、（ａ）は、概略正面図、（ｂ）は、（ａ）におけるＺ−Ｚ線矢視に対応させた一部破断概略拡大横断面図である。
【発明を実施するための形態】
【００１８】
以下に本発明の実施の形態について、図面に基づいて説明する。
図１〜図７は、本実施形態に係る引戸について説明するための説明図である。
尚、以下の実施形態では、引戸の表裏を、図７に示す内壁の壁面に沿って配された引戸が存在する側の空間側の面を表面とし、その逆側、すなわち、当該引戸によって開閉される開口部の奥側の空間（隣室空間或いは収納空間など）側の面を裏面として説明する。
また、引手を構成する一組の引手部材の表面及び背面は、引戸に取り付けられた状態を基準として手前側に露出する側を表面側（正面側）とし、その逆側を背面側として説明する。
【００１９】
本実施形態では、図７（ａ）に示すように、住居等の内壁４に開設された開口部５を閉塞または開放する一枚からなる片引き式の引戸２に、本実施形態に係る引手１を取り付けた例を示している。この引戸２の戸先２ｃ側の側部には、引手１に対応させた取付孔３（図１（ａ）参照）が当該引戸２の厚さ方向に貫通して形成されている。
また、図例では、床面から天井面近傍部位まで形成された開口部５（図７（ｂ）参照）を閉塞または開放する引戸２とされており、この引戸２の高さ寸法は、床面近傍部位から天井面近傍までの高さとされている。
また、図例では、引戸２は、図７（ｂ）に示すように、内壁４の手前側壁面に沿って納められる構造とされた、いわゆるアウトセット型の納め構造によって納められた例を示している。
尚、図７において、符号６は、開口部５の内周側面に設けられた開口縦枠である。
【００２０】
この引戸２は、例えば、その上端部が、上吊レール７に沿って引戸２の幅方向に移動自在に支持された吊下げランナー７ａに連結支持されている。この上吊レール７の長手方向両端部には、引戸２のストッパー部材としてのエンドストッパー７ｂ，７ｂがそれぞれ設けられている。この上吊レール７及び引戸２の上端部は、化粧幕板８によって覆い隠されている。
また、引戸２の下端部には、床面に向けて開口したガイド凹溝２ｄが設けられており、このガイド凹溝２ｄには、床面に立設するように固定された固定ピン９が遊挿されている。この固定ピン９は、上記同様、引戸２のストッパー部材として機能する。
【００２１】
このような天井高さまでの引戸２とし、アウトセット型の納め構造とすることで、すっきりとした印象を与えることができる。
本実施形態に係る引手１は、このような比較的、高さの高い引戸２の戸先２ｃ側の側部に沿って、アクセントパーツのように取り付けられ、当該引手１をして引戸２の開閉操作がなされる。
この引手１は、図７（ｂ）に示すように、引戸２の表面２ａ側及び裏面２ｂ側に手掛凹部１９，１９を設けるように引戸２に取り付けられた一組の引手部材１０，１０を備えている。本実施形態では、これら一組の引手部材１０，１０は、引戸２の高さ方向と同方向に長尺とされるとともに、それぞれ同寸同形状とされている。
尚、以下では、これら一組の引手部材１０，１０を、引戸２の表面側に設けられるものと裏面側に設けられるものとを区別する場合には、それぞれ表面側引手部材１０Ａ、裏面側引手部材１０Ｂとして説明する場合がある。
【００２２】
以下、本実施形態に係る引手１について、図１〜図６を参照して説明する。
当該引手１を構成する一組の引手部材１０，１０は、図１に示すように、引戸２に設けられた貫通孔３に、互いに対向するようにそれぞれ嵌め込まれる引手基部１１，１１と、各引手基部１１，１１の表面側周縁部に沿って周設された鍔部１７と、各引手基部１１，１１の表面側に設けられた手掛部としての手掛凹部１９と、当該引手部材１０，１０を組み付けるために、引戸２の厚さ方向に沿って互いに係合する複数の係合部２０，３０とを備えている。
【００２３】
各引手部材１０は、例えば、合成樹脂系材料や金属系材料等で一体的に製されており、図２（ａ）に示すように、その外郭形状となる鍔部１７の外周形状が正面視して、細長状の略矩形状とされており、この外郭形状と同様、手掛凹部１９も細長状の略矩形状とされている。
鍔部１７は、引戸２の取付孔３の開口縁３ｂに対応させて形成されており、当該引手１が引戸２に取付固定された状態では、この鍔部１７の裏面１７ａが、開口縁３ｂ近傍の引戸２の表面２ａ（または裏面２ｂ）に当接乃至は近接して配置される（図５（ｂ）及び図６（ａ）も参照）。
また、この鍔部１７の裏面１７ａには、図２（ｂ）に示すように、当該引手部材１０の長手方向に沿って複数箇所に、取外具差込凹部１８が設けられている（図３も参照）。
図例では、鍔部１７の上部両側部に二つ、略中間部に一つ、及び下部両側部に二つの取外具差込凹部１８を設けた例を示している。
【００２４】
各引手部材１０の背面側に設けられた引手基部１１は、鍔部１７から手掛凹部１９を形成するように背面側に向けて膨出させたような形状とされており、図１（ｂ）及び図２（ｂ）に示すように、細長状の略直方体形状とされている。
引手基部１１の幅方向両側部１３，１３及び上下端部１４，１４には、外方向（取付孔３に嵌め込まれた状態における取付孔３の内周面側方向）に向けて突設され、引戸２の取付孔３に嵌め込まれる際に、取付孔３の内周側面３ａ（図１（ａ）参照）に圧接する複数のリブ１５，１６が設けられている。
図例では、上端部１４及び下端部１４のそれぞれに上下リブ１６，１６を設け、幅方向両側部１３，１３に、当該引手基部１１の長手方向に沿って複数箇所（図では各側部に三箇所）に側部リブ１５を設けた例を示している。
【００２５】
これら各リブ１５，１６は、図３（ａ）に示すように、鍔部１７の裏面１７ａから、背面側に向けて延びるように引手基部１１の外周面に付設された薄板状とされ、その背面側端部には、引手基部１１の外周面に向けて傾斜する傾斜面１５ａ，１６ａが設けられている。
このようなリブ１５，１６を引手基部１１の外周部（幅方向両側部１３，１３及び上下端部１４，１４）に設けることで、引手基部１１を引戸２の取付孔３に嵌め込む際に、各リブ１５，１６の圧接作用により圧入させるように引手基部１１を嵌め込むことができ、後記するように組み付けられて、引戸２に取付固定された一組の引手部材１０，１０と引戸２とのがたつきを、これらリブ１５，１６により、防止することができる。
【００２６】
特に、図例のように、引手基部１１の幅方向両側部１３，１３に、長手方向に沿って複数箇所に側部リブ１５を設けることで、比較的、長尺とされた当該引手部材１０と引戸２との幅方向へのがたつきを防止することができる。
また、各リブ１５，１６の背面側端部に、傾斜面１５ａ，１６ａを設けることで、引手基部１１を引戸２の取付孔３に嵌め込む際に、これら傾斜面１５ａ，１６ａが案内面となり、スムーズに嵌め込むことができる。
また、これら各リブ１５，１６によって、表面側に手掛凹部１９を形成するようにして比較的、薄肉に形成された引手基部１１を補強することもできる。
【００２７】
上記した引手基部１１の幅方向両側部１３，１３には、引手基部１１の長手方向に沿って複数箇所（図例では四箇所）に係合部２０，３０が設けられている。
係合部２０，３０は、図１（ｂ）に示すように、係合突片部２０と、係合突片部２０を受け入れて保持する係合凹部３０とを備えている。
これら係合突片部２０と、係合凹部３０とは、本実施形態では、図１（ｂ）及び図２に示すように、引手基部１１の長手方向同位置の幅方向両側部１３，１３に設けられている。
また、本実施形態では、これら係合突片部２０と、係合凹部３０とは、引手基部１１の長手方向の各部において、図２（ｂ）に示すように、引手基部１１の長手方向中心ＣＬから、均等間隔を空けて互い違いとなるように設けられている。
【００２８】
図２（ｂ）に示す状態を例にすれば、引手基部１１の長手方向に沿って、四箇所に設けられた係合部２０，３０は、長手方向中心ＣＬに近接側の二組が、長手方向中心ＣＬから均等間隔を空けて設けられ、同様に、長手方向中心ＣＬから遠い側の二組（上部側及び下部側）が、長手方向中心ＣＬから均等間隔を空けて設けられている。また、図示上側から順に、長手方向の各部において、各係合突片部２０は、図示左側の側部１３、右側の側部１３、左側の側部１３及び右側の側部１３にそれぞれ設けられている。また、各係合凹部３０は、各係合突片部２０とは逆側の側部１３にそれぞれ設けられており、上記同様、図示上側から順に、図示右側の側部１３、左側の側部１３、右側の側部１３及び左側の側部１３にそれぞれ設けられている。つまり、これら係合突片部２０と係合凹部３０とは、各引手基部１１の長手方向の各部において互い違いとなるように設けられている。
このような構成とされた引手部材１０は、本実施形態では、図２（ｂ）に示すように、長手方向中心ＣＬ及び幅方向中心に、引戸２の厚さ方向と同方向に沿って通した軸を回転中心として、回転対称（二回対称）となる形状とされている。
【００２９】
係合突片部２０は、図１（ｂ）に示すように、側面視して、引手基部１１の対向面１２から背面側に向けて突出するように、引手基部１１の側部１３から、引戸２の厚さ方向に沿って突設されており、引戸２の幅方向に薄い略矩形平板状とされている。この係合突片部２０の対向面１２からの突出寸法は、後記するように、引手部材１０，１０が組み付けられて、各引手基部１１，１１の対向面１２，１２が近接乃至は当接した状態で、係合突片部２０の嵌め込み方向（引戸２の厚さ方向と同方向）先端部が係合凹部３０の最深部となる鍔部１７の裏面１７ａに近接乃至は当接する程度の突出寸法とされている。
【００３０】
また、この係合突片部２０の外方側（当該引手部材１０の幅方向外方側）面の周縁部には、Ｃ面取り形状の面取り部が該周縁部に沿って形成されている（図３（ｂ）及び図４（ｄ）参照）。
つまり、係合突片部２０の上記先端部の外方側縁部、及び係合突片部２０の上下側部２２，２２の外方側縁部には、面取り部が形成されている。
【００３１】
また、この係合突片部２０の内方側（当該引手部材１０の幅方向内方側）面部には、図３（ａ）及び図４（ｂ）、（ｃ）に示すように、係止部２３が設けられている。
この係止部２３は、本実施形態では、第１係止部２４と、第２係止部２６とを長手方向（上下方向）に隣接させて配置した構造とされている。
第１係止部２４は、上記嵌め込み方向に、所定ピッチＰ２で複数の係止突条２５を並設した構造とされ、第２係止部２６は、この第１係止部２４と同ピッチＰ２で複数の係止突条２７を上記嵌め込み方向に並設した構造とされている。また、これら第１係止部２４と、第２係止部２６とは、図４（ｂ）〜（ｄ）に示すように、互いの係止突条２５，２７が半ピッチＰ３ずれた位置となるように配置されている。
【００３２】
これら各係止突条２５，２７は、図例では、係合突片部２０の内方側面を僅かに凹ませて形成された凹部２１の底面から内方側に向けて突出するように設けられ、いずれも上記嵌め込み方向に対して略直交するように、かつ互いに平行に設けられている。
また、これら各係止突条２５，２７は、図４（ｄ）に示すように、凹部２１の底面から断面略半円状に形成されており、その頂部が係合突片部２０の内方側面と略同高さ程度とされている。換言すれば、係合突片部２０の内方側面から凹部２１の底面までの深さと、凹部２１の底面からの各係止突条２５，２７の突出高さとが同程度とされている。
【００３３】
上記構成とされた係合突片部２０の係止部２３は、図４（ｄ）に示すように、第１係止部２４及び第２係止部２６の各係止突条２５，２７によって、所定ピッチＰ２の半ピッチＰ３で、上記嵌め込み方向に、複数の係止突条を有したものとなり、これら複数の係止突条間には、複数の係止凹条２８が半ピッチＰ３で形成される。
このような構成とすることで、当該係合突片部２０の係止部となる複数の係止突条を、部材を大型化することなく効率的に細かく設けることができる。
【００３４】
係合凹部３０は、各引手基部１１の係合突片部２０が設けられた側部１３とは逆側の側部１３に、係合突片部２０と長手方向同高さ位置にそれぞれ設けられており、係止部３３と、この係止部３３を挟んで上下に離間して設けられた一対のガイド片３２，３２とを有している。
係止部３３は、係合突片部２０の係止部２３に対応して形成されており、図３（ａ）及び図４（ａ）に示すように、上記嵌め込み方向に、所定ピッチＰ１で複数の係止突条３４を並設した構造とされている。
【００３５】
複数の係止突条３４は、図例では、引手基部１１の側部１３から外方側に向けて僅かに膨出した膨出台部３１から外方側に向けて突出するように設けられ、いずれも上記嵌め込み方向に対して略直交するように、かつ互いに平行に設けられている。
また、複数の係止突条３４は、図４（ａ）に示すように、膨出台部３１の底面から断面略三角形状に形成されている。この係止突条３４の所定ピッチＰ１は、図例では、上記した係合突片部２０の各係止突条２５，２７の所定ピッチＰ２の略二倍程度とされている。
つまり、図４（ｄ）に示すように、係合凹部３０の各係止突条３４と、この係合凹部３０に係合する上記した係合突片部２０の複数の係止突条２５，２７とが噛み合うように係止する。また、係合凹部３０の各係止突条３４が、係合突片部２０の複数の係止凹条２８のうち四本措きに、かつ半ピッチＰ３毎に係止し、これら係合突片部２０と係合凹部３０との上記嵌め込み方向に沿う相対的な位置調整、すなわち、係止位置の変更が上記半ピッチＰ３毎に可能となっている。
【００３６】
このように、本実施形態では、係合突片部２０及び係合凹部３０に複数の係止突条２５，２７，３４を設けているので、当該引手１を引戸２に取付固定する際に、互いの複数の係止突条によって、引戸２の厚さ方向に沿って複数段階に係止が可能となり、引戸２の厚さ寸法の差異や誤差等を吸収することができる。
また、特に、本実施形態では、係合突片部２０の係止部２３を、上述のように、第１係止部２４と第２係止部２６とを、互いの係止突条２５，２７が半ピッチＰ３ずれた位置となるように隣接させて配置した構造としているので、引戸２の厚さ寸法の差異や誤差等を、より細かく吸収することができる。
また、これら係合突片部２０の係止突条と、係合凹部３０の複数の係止突条３４とが互いに噛み合うように係止するので、後記するように組み付けられて取り付けられる引手１を、より強固に引戸２に対して固定することができる。
尚、図例では、係合凹部３０の複数の係止突条３４の所定ピッチＰ１を、係合突片部２０の各係止突条２５，２７の所定ピッチＰ２の略二倍程度とした例を示しているが、このような態様に限られず、互いに噛み合うように、所定ピッチＰ１を、上記半ピッチＰ３の整数倍のものとすればよい。
【００３７】
一対のガイド片３２，３２は、図３（ａ）に示すように、鍔部１７の裏面１７ａから、背面側に向けて延びるように引手基部１１の側部１３に付設されており、互いに対向する方向に向けて開口するとともに、背面側に向けて開口したガイド溝３２ａ，３２ａをそれぞれに有している。つまり、図示上側のガイド片３２のガイド溝３２ａは、下方に向けて開口するとともに、背面側に向けて開口し、図示下側のガイド片３２のガイド溝３２ａは、上方に向けて開口するとともに、背面側に向けて開口している。
【００３８】
図例では、これらガイド溝３２ａ，３２ａは、図３（ｂ）に示すように、上記した係合突片部２０の上下側部２２，２２の面取り形状に対応させて、外方側に向かうに従い互いに近接する側に向けて傾斜する形状とされている。このように、係合突片部２０の上下側部２２，２２の外方側縁部をＣ面取り形状とし、ガイド溝３２ａ，３２ａの開口形状をそれに対応させた傾斜形状とすることで、これらガイド溝３２ａ，３２ａを形成するガイド片３２，３２の外方側への突出高さを効率的に小さくすることができる。
また、本実施形態では、これら一対のガイド片３２，３２の背面側端部の対向縁部には、係合突片部２０を受け入れる際の案内面となる面取り部が形成されている（図３（ａ）及び図４（ａ）参照）。
【００３９】
これらガイド片３２，３２の各ガイド溝３２ａ，３２ａが、係合突片部２０を受け入れて保持する保持部として機能する。つまり、後記するように一組の引手部材１０，１０が組み付けられ、係合部２０，３０が互いに係合した状態では、これらガイド溝３２ａ，３２ａに係合突片部２０の上下側部２２，２２が嵌め込まれ、係合突片部２０の上下方向及び幅方向への移動を規制する（図６参照）。また、係合凹部３０と係合突片部２０とが互いに係合した状態、すなわち、係合凹部３０が係合突片部２０を受け入れて保持した状態では、係合凹部３０の係止部３３と係合突片部２０の係止部２３とが係止し、上記嵌め込み方向に沿う方向への係合突片部２０の移動を規制する。
【００４０】
次に、上記構成とされた一組の引手部材１０，１０からなる引手１の引戸２への取り付け態様の一例について説明する。
まず、図１及び図５（ａ）に示すように、互いの引手基部１１，１１の各対向面１２，１２を、取付孔３を挟んで対向させるように、引戸２の表面側に表面側引手部材１０Ａを配置し、引戸２の裏面側に裏面側引手部材１０Ｂを配置する。
そして、各引手部材１０Ａ，１０Ｂの引手基部１１，１１を、取付孔３の内方側（引戸２の厚み中心側）に向けて移動させ、これら引手基部１１，１１を取付孔３に嵌め込むとともに、これら引手基部１１，１１に設けられた係合突片部２０と係合凹部３０とを互いに係合させる。
この際、本実施形態では、係合突片部２０の上記先端部の外方側縁部、及び係合突片部２０の上下側部２２，２２の外方側縁部に面取り部を設け、係合凹部３０の一対のガイド片３２，３２の背面側端部の対向縁部に面取り部を設けているので、スムーズに係合突片部２０と係合凹部３０とを係合させることができる。
【００４１】
また、各引手部材１０Ａ，１０Ｂの鍔部１７の裏面１７ａが、取付孔３のそれぞれ開口縁３ｂに近接、当接するまで押し込む。この際、上記のように、各引手基部１１，１１の外周面には、取付孔３の内周面３ａに圧接する複数の側部リブ１５及び上下リブ１６が設けられているので、これらリブ１５，１６が取付孔３の内周面３ａに圧接し、これにより、各引手基部１１，１１を取付孔３に圧入させるように嵌め込むことができる。
【００４２】
上記のように各引手基部１１，１１が取付孔３に嵌め込まれて、これら一組の引手部材１０Ａ，１０Ｂが組み付けられて、当該引手１が引戸２に取付固定された状態では、図５（ｂ）及び図６に示すように、その表面側には、各引手部材１０Ａ，１０Ｂの鍔部１７が露出するとともに、手掛凹部１９が露出し、この手掛凹部１９をして引戸２の開閉操作が可能となる。
また、図６（ａ）、（ｂ）に示すように、これら各引手部材１０Ａ，１０Ｂの各引手基部１１，１１の両側部１３，１３においては、長手方向に沿って複数箇所に設けられた係合部２０，３０が互いに係合した状態とされ、係合突片部２０と係合凹部３０との相対的な移動が規制された状態となる。すなわち、係合突片部２０の上下側部２２，２２が係合凹部３０のガイド凹溝３２ａ，３２ａに嵌め込まれて、その上下方向及び幅方向への移動が規制されるとともに、各係止部２３，３３が互いに係止し、嵌め込み方向への移動が規制される。
【００４３】
上記のように、これら一組の引手部材１０Ａ，１０Ｂが組み付けられて、当該引手１が引戸２に取付固定された状態で、引手１に不具合が生じた際や引戸２を廃棄する際など、引手１を引戸２から取り外す必要が生じた際には、マイナスドライバー等の取外具の先端を、上記した鍔部１７の裏面１７ａに設けられた取外具差込凹部１８に差し込むことで、一組の引手部材１０Ａ，１０Ｂの各係合部２０，３０の係合を解除させ、当該引手１を引戸２から容易に取り外すことができる。特に、図例のように、長手方向に沿って複数箇所に取外具差込凹部１８を設けることで、各部位において取外具の先端を差し込むことができ、当該引手１をより容易に引戸２から取り外すことができる。
【００４４】
以上のように、本実施形態に係る引手１では、各引手部材１０，１０の引手基部１１，１１を、引戸２の取付孔３に嵌め込み、係合突片部２０と係合凹部３０とを互いに係合させることで、当該一組の引手部材１０，１０からなる引手１を、引戸２に対して容易に取付固定することができる。従って、固定止具の止着作業等が不要となり、作業性を向上させることができる。また、固定止具等が露出しないので、見栄えを向上させることができる。
また、引戸２の高さ方向に沿ってそれぞれ長尺であるので、すっきりとした印象を与えることができ、見栄えを向上させることができるとともに、居住者等の引手１の操作者に身長差があるような場合にも、操作性を向上させることができる。また、このように長尺でありながらも、長手方向の複数箇所に設けられた係合部２０，３０によって、当該引手１を引戸２に対して強固に取付固定することができ、当該引手部材１０，１０の両側部における浮き等を防止することができる。
【００４５】
さらに、互いに係合する係合部としての係合突片部２０と係合凹部３０とは、上述のように、それぞれの係止部２３，３３が互いに係止した状態で、係合突片部２０が係合凹部３０に受け入れられて保持される。また、これら係合突片部２０と係合凹部３０とは、引手基部１１の両側部１３，１３において係合するように設けられているので、引戸２の厚さ方向に沿って突設された係合突片部２０と、これを受け入れて保持する係合凹部３０とによって、引手基部１１の側部１３を挟持するように保持することができる。従って、これら係合部２０，３０における係合強度を向上させることができ、当該引手１を引戸２に対して、強固に取付固定することができる。
【００４６】
さらにまた、本実施形態では、一組の引手部材１０，１０を、それぞれ同寸同形状とし、係合突片部２０と係合凹部３０とを、各引手基部１１，１１における長手方向同位置の幅方向両側部１３，１３に設けるとともに、各引手基部１１，１１の長手方向中心ＣＬから均等間隔を空けて設けるようにしている。従って、一組の引手部材１０，１０を、同一部品とできるので取扱い性が良く、作業性を向上させることができる。
また、これら係合突片部２０と係合凹部３０とは、各引手基部１１，１１における長手方向同位置の幅方向両側部１３，１３に設けられているので、長手方向同位置において強固に係合させることができる。
【００４７】
特に、本実施形態では、係合突片部２０と係合凹部３０とを、各引手基部１１，１１における長手方向に沿って互い違いとなるように設けるようにしている。従って、引戸２に取り付ける際に、各引手部材１０，１０を、長手方向中心ＣＬを回転中心として回転させて上下を逆にした場合にも互いに係合部２０，３０を係合させることができ、より作業性を向上させることができる。
また、互い違いに配された係合突片部２０によって、互いの引手基部１１，１１の側部１３，１３が挟持され、より係合部２０，３０における係合強度を向上させることができる。
さらに、例えば、一側部に沿ってのみ係合突片部を設けるようなものと比べて、各係合部において互いに係合させる際に、各引手部材が一方に傾いたりするようなことを防止でき、安定してより強固に互いを係合させることができる。
【００４８】
尚、各引手部材の上下長さ寸法及び幅寸法は、取り付けられる引戸の大きさ等に応じて、適宜、設定可能であるが、一般的な大きさとされた引手よりも細長形状としてもよく、例えば、長さ寸法が、２００ｍｍ〜５００ｍｍ程度、幅寸法が、２０ｍｍ〜５０ｍｍ程度とされたものとしてもよい。
また、係合凹部及び係合突片部のそれぞれの係止突条の所定ピッチは、係合強度や成形性の観点、取り付けられる引戸の厚さ等に応じて、適宜、設定可能であるが、各係止突条の頂部間の間隔が、０．３ｍｍ〜１．０ｍｍ程度の比較的、幅狭のピッチとし、比較的、細かく複数の係止突条を設けるようにしてもよい。
【００４９】
また、本実施形態では、一組の引手部材のそれぞれを、同寸同形状とされたものとし、係合突片部と係合凹部とを、各引手基部における長手方向同位置の幅方向両側部に設けるとともに、当該引手基部の長手方向中心から均等間隔を空けて互い違いとなるように、各引手基部の長手方向に沿って偶数箇所（図例では四箇所）に設けた例を示しているが、このような態様に限られない。
例えば、係合突片部と係合凹部とを各引手基部の長手方向に沿って互い違いとなるように奇数箇所に設けるようにしてもよい。この場合は、長手方向中心に係合部を設けるようにすればよい。または、係合突片部と係合凹部とを互い違いとなるように設けずに、各引手基部の一方の側部に複数の係合突片部を設け、他方の側部に複数の係合凹部を設けるようにしてもよい。
【００５０】
若しくは、係合突片部と係合凹部とを各引手基部の長手方向に沿って、任意の配置態様で設けるようにしてもよい。例えば、引手基部の長手方向同位置の幅方向両側部に、係合突片部と係合凹部とを設ける態様に代えて、長手方向同位置の両側部に係合突片部を設け、これとは異なる長手方向同位置の両側部に係合凹部を設け、これら係合突片部及び係合凹部を設ける部位を、当該引手基部の長手方向中心から均等間隔を空けて、各引手基部の長手方向に沿って偶数箇所に設けるような態様としてもよい。
これら各態様によっても、一組の引手部材を、同一部品とすることができる。
【００５１】
または、上記のような各態様に代えて、一組の引手部材が別部材とされたものとしてもよい。例えば、一方の引手基部の両側部に、上記したような複数の係合突片部を長手方向に沿って複数箇所に設け、他方の引手基部の両側部に、上記一方の引手基部の係合突片部に対応させた係合凹部を設けるようにしてもよい。その他、各引手基部の幅方向両側部において、互いに係合し得るように係合突片部及び係合凹部を各引手基部に配置する態様とすればよい。
【００５２】
また、本実施形態では、係合突片部の係止部を、複数の係止突条からなる第１係止部と、複数の係止突条からなる第２係止部とを備えたものとし、これら第１係止部と第２係止部とを、互いの係止突条が半ピッチずれた位置となるように隣接させて配置した構造とした例を示したが、係合突片部をこのような構造とする態様に代えて、係合凹部の係止部をこのような構造とする態様としてもよい。
または、このように、第１係止部と第２係止部とを、互いの係止突条が半ピッチずれた位置となるように隣接させて配置した構造とせずに、引戸の厚さ方向に複数の係止突条を所定ピッチ若しくは異なるピッチで並設したものとしてもよい。
さらに、本実施形態では、係合突片部及び係合凹部の両方の係止部を、複数の係止突条からなるものとした例を示しているが、いずれか一方が複数の係止突条を有したものとしてもよい。または、このような複数の係止突条を、係合突片部及び係合凹部のうちの少なくとも一方に設ける態様に代えて、一方に単一の係止突条を設け、この係止突条が係止する単一の係止凹溝を他方に設けるような態様としてもよい。
【００５３】
さらにまた、係合突片部及び係合凹部の各係止部は、図例のような係止突条乃至は係止凹条のようなものに限られず、例えば、係止突部と係止凹部とからなるものとしてもよい。
また、本実施形態では、係合凹部を、一対のガイド片を備えた構造とし、このガイド片の対向するガイド凹溝に、係合突片部を受け入れて保持させるものとした例を示しているが、このような態様に限られない。例えば、係合突片部を受け入れるスリット状の開口を有したガイド穴部を引手基部の側部に設け、これを係合凹部としてもよく、その他、係合突片部を受け入れて保持し得る形状であればどのようなものでもよい。
【００５４】
さらに、本実施形態では、材料コストや係合強度等の観点から、引手基部の長手方向に沿って比較的、離間させて係合部を設け、係合部の間に側部リブを設けた例を示しているが、このようなリブを設けずに、係合部をリブとして機能させるようにしてもよい。この場合は、係合部を更に密に設けるような態様としてもよい。
さらにまた、本実施形態では、鍔部の裏面に、取外具差込凹部を設けた例を示しているが、このような取外具差込凹部を設けないようにしてもよい。
また、本実施形態では、各引手部材の手掛部を、手掛凹部とした例を示しているが、各引手部材の表面側に、手掛バーや手掛突部等を設け、これらを手掛部としてもよい。また、一組の引手部材をそれぞれ同寸同形状のものとしない場合には、これら種々の手掛部を組み合わせて各引手部材に設けるようにしてもよい。
【００５５】
尚、上記した例では、上吊り式の引戸に本実施形態に係る引手を取り付けた例を示しているが、当該引戸の下端部に、床面に設けられた床レールに沿って転動する戸車等を設ける一方、当該引戸の上端部に、天井部または天枠等に設けられたガイドレール（ガイド凹溝）にガイド、規制されるガイドピンまたはガイド片等を設けた、いわゆる下荷重式の引戸に、本実施形態に係る引手を取り付ける態様としてもよい。また、片引き式として施工された引戸に対して取り付ける態様に限られず、引分式の各引戸に取り付けるようにしてもよく、さらには、アウトセット型の納め構造とされた引戸に対して取り付ける態様に限られず、戸袋や袖壁に収納されるタイプの引戸に対して取り付けるようにしてもよい。
【符号の説明】
【００５６】
１          引手
２          引戸
２ａ        引戸の表面
２ｂ        引戸の裏面
３          引戸の取付孔
３ａ        取付孔の内周面（内周側面）
３ｂ        取付孔の開口縁
１０        引手部材
１１        引手基部
１３        引手基部の側部（幅方向側部）
１５        側部リブ（リブ）
１６        上下リブ（リブ）
１７        鍔部
１７ａ      鍔部の裏面
１８        取外具差込凹部
１９        手掛凹部（手掛部）
２０        係合突片部（係合部）
２３        係合突片部の係止部
２４        第１係止部
２５        第１係止部の係止突条
２６        第２係止部
２７        第２係止部の係止突条
３０        係合凹部（係合部）
３３        係合凹部の係止部
３４        係合凹部の係止突条
ＣＬ        引手基部の長手方向中心
Ｐ２        第１係止部及び第２係止部の係止突条のピッチ（所定ピッチ）
Ｐ３        半ピッチ（所定ピッチの半ピッチ）
【図１】
0005887548.tif 000002
【図２】
0005887548.tif 000003
【図３】
0005887548.tif 000004
【図４】
0005887548.tif 000005
【図５】
0005887548.tif 000006
【図６】
0005887548.tif 000007
【図７】
0005887548.tif 000008